【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
第１の視方向に第１の画像を表示し、第２の視方向に第２の画像を表示する画像表示装置であって、
前記第１の画像の形成に用いられる複数の第１副画素と前記第２の画像の形成に用いられる複数の第２副画素とが設けられた画像形成部と、
遮光部と複数の開口部とを備え、前記各第１副画素からの光を前記第１の視方向に射出するとともに前記各第２副画素からの光を前記第２の視方向に射出する射出方向規制手段と、
前記複数の開口部の各々の内に配置され、隣接した前記第１副画素および前記第２副画素を通過する光のうち１色の所定の波長の光を透過するフィルタ要素と、を備える画像表示装置。
【請求項２】
請求項１記載の画像表示装置であって、
前記複数の開口部内に配置された前記フィルタ要素の各々は、複数色から選択されるそれぞれ異なる色を有しており、
前記複数の第１副画素のうち、近接して配置されている第１副画素によって構成され、それぞれ異なる色の前記フィルタ要素に対応づけられている第１副画素群は、前記第１の画像の１画素を表しており、
前記複数の第２副画素のうち、近接して配置されている第２副画素によって構成され、それぞれ異なる色の前記フィルタ要素に対応づけられている第２副画素群は、前記第２の画像の１画素を表す、画像表示装置。
【請求項３】
請求項１または請求項２記載の画像表示装置であって、
第１の面上に、前記第1の画像の形成に用いられる複数の第１副画素と前記第２の画像の形成に用いられる複数の第２副画素のそれぞれに対応する複数の画素電極が形成された第１の基板と、
前記複数の画素電極に対向して設けられた電極層と、
前記第１の面に対向する第２の面と前記第２の面の裏側の第３の面を有する第２の基板と、
前記複数の画素電極と電極層との間に介在する電気光学層と、を備え、
前記画像形成部は、前記複数の画素電極と、前記電極層と、前記電気光学層とから構成されている、画像表示装置。
【請求項４】
請求項３記載の画像表示装置であって、
前記射出方向規制手段は、前記電極層と前記第２の基板の間に配置されている、画像表示装置。
【請求項５】
請求項３または請求項４記載の画像表示装置であって、
前記第１の基板には、前記複数の第１副画素と前記複数の第２副画素のそれぞれに対応する前記各画素電極が、行方向および列方向に、それぞれ交互に形成されており、
前記射出方向規制手段は、前記遮光部および前記各開口部が、前記画素電極の配列の行方向および列方向に、交互に形成されたマトリクス構造を有している、画像表示装置。
【請求項６】
請求項５記載の画像表示装置であって、
前記カラーフィルタは、各色の前記フィルタ要素が前記画素電極の配列の行方向に所定の順番で繰り返し並ぶように、かつ、同一色の前記フィルタ要素が１行および１列ずれて並ぶように配置されている、画像表示装置。
【請求項７】
請求項５記載の画像表示装置であって、
前記カラーフィルタは、前記各色のフィルタ要素が前記画素電極の配列の行方向に所定の順番で繰り返し並ぶように、かつ、同一色のフィルタ要素が前記画素電極の配列の列方向に並ぶように配置される、画像表示装置。
【請求項８】
請求項３または請求項４記載の画像表示装置であって、
前記第１の基板は、前記複数の第１副画素と前記複数の第２副画素のそれぞれに対応する前記複数の画素電極が、行方向に、それぞれ交互に形成されており、
前記射出方向規制手段は、前記遮光部および前記各開口部が、前記複数の画素電極の配列の行方向に、交互に形成された縦ストライプ構造を有する、画像表示装置。
【請求項９】
請求項８記載の画像表示装置であって、
前記カラーフィルタは、各色の前記フィルタ要素が前記複数の画素電極の配列の行方向に所定の順番で繰り返し並ぶように、かつ、同一色のフィルタ要素が前記複数の画素電極の配列の列方向に並ぶように配置される、画像表示装置。
【請求項１０】
請求項８記載の画像表示装置であって、
前記カラーフィルタは、各色の前記フィルタ要素が前記画素電極配列の列方向に所定の順番で繰り返し並ぶように、かつ、同一色の前記フィルタ要素が前記画素電極配列の行方向に並ぶように配置されている、画像表示装置。
【請求項１１】
請求項３ないし請求項１０いずれか記載の画像表示装置であって、
前記射出方向規制手段と前記電極層との間には、樹脂層が設けられている、画像表示装置。
【手続補正２】
【補正対象書類名】明細書
【補正対象項目名】０００２
【補正方法】変更
【補正の内容】
【０００２】
単一の画像表示装置を異なる方向から見た場合に、それぞれの方向に異なる画像を表示する画像表示装置が利用されている。このような画像表示装置には、異なる画像の形成に用いられる各副画素と、副画素を通過した光のうち所定の波長の光を透過させるカラーフィルタ層と、開口部および遮光部が形成されたパララックスバリアとを有する液晶パネルを備えるものがある。パララックスバリアの開口部と遮光部は、第１画像の形成に用いられる第１副画素と第２画像の形成に用いられる第２副画素とを分割する障壁として機能し、第１副画素からの光を第１の視方向に向けるとともに、第２副画素からの光を第２の視方向に向ける。利用者は、第１の視方向から第１画像を視認できるとともに、第２の視方向から第２画像を視認できる。
【手続補正３】
【補正対象書類名】明細書
【補正対象項目名】０００８
【補正方法】変更
【補正の内容】
【０００８】
上述の課題の少なくとも一部を解決するために、本発明の第１の態様は、第１の視方向に第１の画像を表示し、第２の視方向に第２の画像を表示する画像表示装置に用いられる画像表示装置を提供する。第１の態様の画像表示装置は、
前記第1の画像の形成に用いられる複数の第１副画素と前記第２の画像の形成に用いられる複数の第２副画素とが設けられた画像形成部と、
複数の開口部を有する遮光部を備え、前記各第１副画素からの光を前記第１の視方向に射出するとともに前記各第２副画素からの光を前記第２の視方向に射出する射出方向規制手段と、
前記複数の開口部の各々の内に配置され、隣接した前記第１副画素および前記第２副画素を通過する光のうち１色の所定の波長の光を透過するフィルタ要素と、を備えることを要旨とする。
【手続補正４】
【補正対象書類名】明細書
【補正対象項目名】００１５
【補正方法】変更
【補正の内容】
【００１５】
第１の態様の画像表示装置において、
前記複数の開口部内に配置された前記フィルタ要素の各々は、複数色から選択されるそれぞれ異なる色を有しており、
前記複数の第１副画素のうち、近接して配置されている第１副画素によって構成され、それぞれ異なる色の前記フィルタ要素に対応づけられている第１副画素群は、前記第１の画像の１画素を表しており、
前記複数の第２副画素のうち、近接して配置されている第２副画素によって構成され、それぞれ異なる色の前記フィルタ要素に対応づけられている第２副画素群は、前記第２の画像の１画素を表してもよい。
【手続補正５】
【補正対象書類名】明細書
【補正対象項目名】００４４
【補正方法】変更
【補正の内容】
【００４４】
画像表示装置１００において、各副画素からの射出光は、ＣＦバリア１１０の対応する開口部１１２を通過する際に、開口部１１２内に形成された形成されたカラーフィルタを透過する。例えば、図５に示すように、第１Ｇ副画素３０２から射出された光のうち、第１Ｇ副画素３０２に対応付けられた開口部１１２ｂを通過する光は、開口部１１２ｂを通過する際にＧのフィルタ要素を透過して、第１画像視野範囲ａｒ１にいる利用者に届き、残りの光は遮光部１１１、１１１に吸収される。同様に、第２Ｇ副画素３０３に対応付けられた開口部１１２ｂを通過する光は、開口部１１２ｂを通過する際にＧのフィルタ要素を透過して、第２画像視野範囲ａｒ２にいる利用者に届く。よって、第１画像視野範囲ａｒ１にいる利用者は、第１画像を視認でき、第２画像視野範囲ａｒ２にいる利用者は、第２画像を視認できる。
【手続補正６】
【補正対象書類名】明細書
【補正対象項目名】００８０
【補正方法】変更
【補正の内容】
【００８０】
（３）第１実施例〜第５実施例では、光源、画素電極、共通電極および電極間の液晶層を備える液晶パネルについて説明したが、例えば、画素電極、共通電極および電極間の有機発光層により構成される有機ＥＬディスプレイを用いてもよい。有機ＥＬディスプレイは、複数の画素電極上に設けられた有機発光層を備える。電極層は、有機発光層上に設けられていてもよい。ここで、有機発光層は、白色で発光する層であってもよい。